(57)【特許請求の範囲】
【請求項１】
部品を識別する情報と、前記部品の単位期間毎の在庫数量を示す情報とを含む資材データを取得する資材データ取得部と、
前記資材データ取得部が取得した前記資材データを表示し、前記資材データが示す前記部品の在庫管理の見直しに対する賛成票を投票可能な投票画面を生成して出力する投票画面生成部と、
前記投票画面で前記部品の在庫管理の見直しに対する賛成票が投票されたことを示す投票データを取得する投票データ取得部と、
前記投票データ取得部が取得した前記投票データを集計し、投票結果データを生成する投票集計部と、
を備える在庫管理支援装置。
【請求項２】
前記投票画面生成部は、前記資材データと共に投票の対象である在庫管理の対象項目を表示し、前記部品の前記対象項目の見直しに対する賛成票を投票可能な投票画面を生成して出力し、
前記投票データ取得部は、前記部品の前記対象項目の見直しに対する賛成票が投票されたことを示す投票データを取得する請求項１に記載の在庫管理支援装置。
【請求項３】
前記資材データは、定期発注の前記部品の安全在庫を示す情報を含み、
前記投票画面生成部は、前記資材データと共に前記対象項目として前記部品の安全在庫を表示し、前記部品の安全在庫の見直しに対する賛成票を投票可能な投票画面を生成して出力する請求項２に記載の在庫管理支援装置。
【請求項４】
前記資材データは、定量発注の前記部品の発注点を示す情報を含み、
前記投票画面生成部は、前記資材データと共に前記対象項目として前記部品の発注点を表示し、前記部品の発注点の見直しに対する賛成票を投票可能な投票画面を生成して出力する請求項２または３記載の在庫管理支援装置。
【請求項５】
前記投票画面生成部は、前記部品の単位期間毎の在庫数量を示す情報から前記部品の発注量を算出し、前記資材データと共に前記対象項目として前記部品の発注量を表示し、前記部品の前記発注量の見直しに対する賛成票を投票可能な投票画面を生成して出力する請求項２から４のいずれか１項に記載の在庫管理支援装置。
【請求項６】
前記資材データをグラフで表示するための項目を示すグラフマスタを記憶する記憶部を備え、
前記投票画面生成部は、前記記憶部が記憶する前記グラフマスタに基づいて、前記資材データをグラフで表示し、前記資材データが示す前記部品の在庫管理の見直しに対する賛成票を投票可能な投票画面を生成して出力する、
請求項１から５のいずれか１項に記載の在庫管理支援装置。
【請求項７】
前記投票集計部が生成した前記投票結果データを表示し、表示された前記投票結果データに対する承認を入力可能な承認画面を生成して出力する承認画面生成部と、
前記承認画面で前記投票結果データに対する承認が入力されたことを示す承認データを取得する承認データ取得部と、
を備える請求項１から６のいずれか１項に記載の在庫管理支援装置。
【請求項８】
前記承認画面生成部は、前記投票結果データを投票数が多い順に表示する前記承認画面を生成する請求項７に記載の在庫管理支援装置。
【請求項９】
前記投票結果データは、集計された賛成票の投票者を識別する情報を含み、
前記承認データが示す承認された前記投票結果データに含まれる前記集計された賛成票の投票者を識別する情報に基づいて、前記投票者に前記投票結果データが承認されたことを通知する承認通知部、
を備える請求項７または８に記載の在庫管理支援装置。
【請求項１０】
投票者端末と在庫管理支援装置とで構成される在庫管理支援システムであって、
前記在庫管理支援装置は、
部品を識別する情報と、前記部品の単位期間毎の在庫数量を示す情報とを含む資材データを取得する資材データ取得部、
前記資材データ取得部が取得した前記資材データを表示し、前記資材データが示す前記部品の在庫管理の見直しに対する賛成票を投票可能な投票画面を生成して前記投票者端末に送信する投票画面生成部、
前記投票画面で前記部品の在庫管理の見直しに対する賛成票が投票されたことを示す投票データを前記投票者端末から受信する投票データ取得部、および、
前記投票データ取得部が取得した前記投票データを集計し、投票結果データを生成する投票集計部、
を備え、
前記投票者端末は、前記在庫管理支援装置から受信した前記投票画面を表示し、前記投票画面で賛成票が投票されると、前記投票データを前記在庫管理支援装置に送信する在庫管理支援システム。
【請求項１１】
在庫管理支援装置が実行する、
部品を識別する情報と、前記部品の単位期間毎の在庫数量を示す情報とを含む資材データを表示し、前記資材データが示す前記部品の在庫管理の見直しに対する賛成票を投票可能な投票画面を生成して投票者端末に送信する投票画面生成ステップと、
前記投票者端末が実行する、
前記在庫管理支援装置から受信した前記投票画面を表示するステップと、
前記投票画面で賛成票が投票されると、前記投票画面で前記部品の在庫管理の見直しに対する賛成票が投票されたことを示す投票データを前記在庫管理支援装置に送信するステップと、
前記在庫管理支援装置が実行する、
前記投票データを前記投票者端末から受信する投票データ取得ステップと、
前記投票データ取得ステップで取得した前記投票データを集計し、投票結果データを生成する投票集計ステップと、
を備える在庫管理支援方法。
【請求項１２】
コンピュータを、
部品を識別する情報と、前記部品の単位期間毎の在庫数量を示す情報とを含む資材データを表示し、前記資材データが示す前記部品の在庫管理の見直しに対する賛成票を投票可能な投票画面を生成して出力する投票画面生成部、
前記投票画面で前記部品の在庫管理の見直しに対する賛成票が投票されたことを示す投票データを取得する投票データ取得部、および、
前記投票データ取得部が取得した前記投票データを集計し、投票結果データを生成する投票集計部、
として機能させるプログラム。
【発明の詳細な説明】
【技術分野】
【０００１】
本発明は、在庫管理業務を支援する在庫管理支援装置、在庫管理支援システム、在庫管理支援方法およびプログラムに関する。
【背景技術】
【０００２】
製造業の在庫管理業務では、資材手配品の入出庫実績や予定、実在庫管理によりデータを蓄積し、統計的手法を用いて需要予測を行い、部品の発注数量の計算や、部品の安全在庫数量設定、発注ロット数計算、発注点設定を行っている。これらの統計的手法を用いた分析は手間がかかるため、在庫管理現場の限られた人員では、継続的に在庫管理の改善を行うことが難しかった。そこで、在庫管理業務の効率化や省力化のために、システムで在庫管理を支援する技術が開発されている。
【０００３】
特許文献１には、需要と供給の安定、不安定状況に基づいて、在庫管理の重み付けを行い、過剰在庫や欠品の発生を防ぐとともに、管理コストを削減することを可能にする在庫管理方法が開示されている。特許文献１の技術では、商品毎に、出庫実績の変動率と平均欠品率を計算し、これらが基準値の範囲内にあるか否かによって、４つのパターン（需要安定/不安定×供給安定/不安定の４パターン）に分類する。需要、供給ともに不安定の時、最重点管理アラームを発生して担当者に伝えることで、過剰在庫や欠品の発生を抑制する対策を促す。
【０００４】
特許文献２には、着目する製品について、製品の在庫実績量の履歴、製品の生産実績量の履歴、および製品の販売実績量の履歴に基づいて、理想的な安全在庫量および現実の安全在庫量を算出し、製品の在庫実績量の履歴とともに、算出した当該製品の理想的な安全在庫量および当該製品の現実の安全在庫量を表示し、在庫の異常の発見を支援する在庫管理装置が開示されている。
【０００５】
特許文献３には、製品の在庫に関する累積販売金額の値の履歴を示すデータと、製品の在庫に関する在庫金額の値の履歴を示すデータとを、製品ごとに記憶しており、ユーザからの指定により、着目日時における累積販売金額の値と、着目日時における在庫金額の値とを第１の座標軸および第２の座標軸にプロットした散布図を表示し、通常とは異なる位置にプロットされた製品について問題在庫として推定することができる在庫管理装置が開示されている。
【先行技術文献】
【特許文献】
【０００６】
【特許文献１】特開平８−１３７９６４号公報
【特許文献２】特開２０１１−１８０６７６号公報
【特許文献３】特開２０１１−１８０６７７号公報
【発明の概要】
【発明が解決しようとする課題】
【０００７】
近年、市場要求の多様化に応えるため、製造業における生産方式は、少品種大量生産方式から多品種少量生産へ移行しつつある。一般的に、多品種少量生産の方が、小品種大量生産に比べて取り扱う部品点数が多くなり、取り扱う部品点数が多いほど在庫管理にかかる手間は増大する。このため、多数の部品に対して、在庫管理現場の限られた人員で、日々継続して、在庫管理上の問題を見つけ改善していくのは困難である。
【０００８】
特許文献１に記載の技術は、需要と供給が比較的安定している製品や期間を想定した在庫管理方法に関する技術であり、支援できる対象が限られている。特許文献２および特許文献３に記載の技術では、在庫の異常の発見を支援することはできるが、在庫の異常を判断するのは在庫管理現場の限られた人員であるので、膨大な点数の在庫に対して継続的な管理および改善を行うことは困難である。
【０００９】
本発明は、上述のような事情に鑑みてなされたもので、在庫管理現場において継続的に在庫管理の改善を行うことを可能にすることを目的とする。
【課題を解決するための手段】
【００１０】
上記目的を達成するため、本発明に係る在庫管理支援装置は、資材データ取得部と、投票画面生成部と、投票データ取得部と、投票集計部とを備える。資材データ取得部は、部品を識別する情報と、部品の単位期間毎の在庫数量を示す情報とを含む資材データを取得する。投票画面生成部は、資材データ取得部が取得した資材データを表示し、資材データが示す部品の在庫管理の見直しに対する賛成票を投票可能な投票画面を生成して出力する。投票データ取得部は、投票画面で部品の在庫管理の見直しに対する賛成票が投票されたことを示す投票データを取得する。投票集計部は、投票データ取得部が取得した投票データを集計し、投票結果データを生成する。
【発明の効果】
【００１１】
本発明によれば、在庫管理現場以外の人員も在庫管理を評価できるようにすることで、在庫管理現場において継続的に在庫管理の改善を行うことが可能になる。
【図面の簡単な説明】
【００１２】
【図１】本発明の実施の形態に係る在庫管理支援システムの構成例を示す図である。
【図２】実施の形態に係る資材データの一例を示す図である。
【図３】実施の形態に係るグラフマスタの一例を示す図である。
【図４】実施の形態に係る安全在庫を対象項目とする投票画面の一例を示す図である。
【図５】実施の形態に係る発注点を対象項目とする投票画面の一例を示す図である。
【図６】実施の形態に係る発注量を対象項目とする投票画面の一例を示す図である。
【図７】実施の形態に係る投票結果データの一例を示す図である。
【図８】実施の形態に係る承認画面の一例を示す図である。
【図９】実施の形態に係る投票画面表示処理の動作の一例を示すフローチャートである。
【図１０】実施の形態に係る承認画面表示処理の動作の一例を示すフローチャートである。
【図１１】実施の形態に係る在庫管理支援装置のハードウェア構成の一例を示すブロック図である。
【発明を実施するための形態】
【００１３】
以下に、本発明を実施するための形態について図面を参照して詳細に説明する。なお、図中同一または相当する部分には同じ符号を付す。
【００１４】
図１は、本発明の実施の形態に係る在庫管理支援システムの構成例を示す図である。在庫管理支援システム１００は、在庫管理支援装置１と、投票者端末３と、管理者端末４とで構成される。投票者端末３は、在庫管理現場以外の人員（以下、投票者という）が使用する端末である。管理者端末４は、在庫管理現場の人員（以下、管理者という）が使用する端末である。投票者端末３および管理者端末４は代表して１台で記載しているが、複数の投票者端末３および管理者端末４が在庫管理支援装置１に接続してもよいし、投票者端末３および管理者端末４は同一の端末あってもよい。投票者端末３および管理者端末４は、例えばパーソナルコンピュータやスマートフォン、タブレット端末などである。資材データベース２は、部品を識別する情報と、部品の日毎の在庫数量を示す情報と、定期発注の部品の安全在庫を示す情報と、定量発注の部品の発注点を示す情報と、を含む資材データを記憶している。
【００１５】
在庫管理支援装置１は、資材データベース２から資材データを取得する。在庫管理支援装置１は、取得した資材データと共に投票の対象である在庫管理の項目（以下、対象項目という）を表示し、資材データが示す部品の対象項目の見直しに対する賛成票を投票可能な投票画面を生成し、投票者端末３に送信する。投票画面における投票は電子投票である。投票者端末３は、受信した投票画面を表示する。投票者は、投票者端末３に表示された投票画面で資材データを閲覧し、賛成投票を行う。投票者端末３は、投票画面で賛成投票が行われると、資材データが示す部品の対象項目の見直しに対する賛成票が投票されたことを示す投票データを在庫管理支援装置１に送信する。
【００１６】
投票データには投票者を識別する情報が含まれる。投票者端末３を複数の投票者で共有する場合には、例えば、投票者は投票者端末３に投票者を識別する情報を入力してログインする。あるいは、投票画面に入力欄を設け、投票者は投票画面の入力欄に投票者を識別する情報を入力する。これによって、投票者端末３は投票者を識別する情報を取得する。投票者ごとに投票者端末３を所有する場合など投票者と投票者端末３とが１対１で対応する場合には投票者端末３はあらかじめ投票者を識別する情報を記憶しておいてもよい。在庫管理支援装置１は、投票者端末３から受信した投票データを集計し、投票結果データを生成する。
【００１７】
在庫管理支援装置１は、投票結果データを表示し、表示された投票結果データに対する承認を入力可能な承認画面を生成し、管理者端末４に送信する。管理者端末４は、受信した承認画面を表示する。管理者は、管理者端末４に表示された投票画面で投票結果データの承認を行う。管理者端末４は、承認画面で投票結果データの承認が行われると、投票結果データに対する承認が入力されたことを示す承認データを在庫管理支援装置１に送信する。在庫管理支援装置１は、管理者端末４から承認データを受信すると、承認された投票結果データの投票者に投票結果データが承認されたことを通知する。以下、在庫管理支援システム１００を構成する各装置の機能の詳細について説明する。
【００１８】
在庫管理支援装置１は、機能構成として、資材データ取得部１１、記憶部１２、投票画面生成部１３、投票データ取得部１４、投票集計部１５、承認画面生成部１６、承認データ取得部１７、および、承認通知部１８を備える。資材データ取得部１１は、資材データベース２から資材データを取得し、記憶部１２に記憶する。資材データを取得するタイミングは、資材データベース２が更新されたときに取得してもよいし、定期的に取得してもよい。ここで、資材データについて図２を用いて説明する。
【００１９】
図２は、実施の形態に係る資材データの一例を示す図である。図２の例では、資材データは、部品を識別する「部品番号」と、部品の名称を示す「部品名」と、部品の発注方式を示す「発注方式」と、定期発注の部品の安全在庫を示す「安全在庫」と、定量発注の部品の発注点を示す「発注点」と、部品の日毎の在庫数量を示す「在庫数量」とで構成される。例えば、「部品番号」がＹＤＢ＿０２３３０１で「部品名」が部品Ｃ０００１の部品は「発注方式」が定期発注であり、「安全在庫」が３００である。この部品は、「発注方式」が定期発注であるので、「発注点」の項目には値がない。この部品の「在庫数量」は、２０１７／１／１時点で５２５個、２０１７／１／２時点で５１０個、２０１７／１／３時点で４９０個、２０１７／１０／２５時点で５００個である。
【００２０】
資材データは、図２の例に限らず、部品を識別する情報と、部品の日毎の在庫数量を示す情報と、定期発注の部品の安全在庫を示す情報と、定量発注の部品の発注点を示す情報と、を含んでいればよい。図１の在庫管理支援装置１の記憶部１２は、図２に示すような資材データをグラフで表示するための項目を示すグラフマスタをあらかじめ記憶している。ここで、グラフマスタについて図３を用いて説明する。
【００２１】
図３は、実施の形態に係るグラフマスタの一例を示す図である。図３の例では、グラフマスタは、グラフを識別する「グラフ番号」と、グラフのタイトルを示す「グラフタイトル」と、グラフ上に表示する対象項目を示す「対象項目」と、グラフを適用可能な発注方式を示す「発注方式」と、グラフの縦軸のタイトルを示す「縦軸タイトル」と、グラフの横軸のタイトルを示す「横軸タイトル」と、グラフの縦軸のデータを示す「縦軸データ」と、グラフの横軸のデータを示す「横軸データ」と、グラフの横軸の幅を規定する「表示期間」とで構成される。
【００２２】
例えば、「グラフ番号」が１のグラフマスタは「グラフタイトル」が安全在庫と在庫推移であり、グラフ上に表示する「対象項目」が安全在庫である。このグラフは、「発注方式」が定期発注の部品に適用可能である。「縦軸タイトル」および「横軸タイトル」はそれぞれ、在庫数量（個）およびｔ（日付）であり、「縦軸データ」および「横軸データ」はそれぞれ、在庫数量および日付である。グラフの横軸の幅は決められた日から４ヶ月分である。グラフマスタは、図３の例に限らず、資材データをグラフで表示するための項目を示す情報であればよく、例えばグラフの種類を示す情報や、グラフの目盛りの間隔を示す情報など、グラフに関する他の情報を含んでもよい。
【００２３】
投票者端末３に投票画面を表示させるタイミングは、あらかじめ在庫管理支援装置１に設定されていてもよいし、投票者が任意のタイミングで要求してもよい。後者の場合、投票者は、図１の投票者端末３に投票画面の要求を入力する。投票者端末３は、投票画面の要求が入力されると、投票画面要求信号を在庫管理支援装置１に送信する。なお、投票者端末３が投票画面要求信号を在庫管理支援装置１に送信するタイミングは、投票画面の要求が入力されたときに限らず、投票者が投票者端末３で特定の業務用ソフトウェアを起動したときや、投票者が投票者端末３にログインしたとき、投票者が投票者端末３でインターネットを閲覧するＷＥＢブラウザを起動したときなどでもよい。
【００２４】
在庫管理支援装置１の投票画面生成部１３は、投票者端末３から投票画面を要求する投票画面要求信号を受信すると、記憶部１２から資材データとグラフマスタとを読み出す。このとき、図２および図３に示すように、資材データおよびグラフマスタが複数ある場合には、投票画面生成部１３は、無作為に１つの資材データと１つのグラフマスタとを読み出してもよいし、部品番号順やグラフ番号順など、決められたルールにしたがって、１つの資材データと１つのグラフマスタとを読み出してもよい。あるいは、投票者が投票画面を要求する際に部品およびグラフの少なくとも一方を指定してもよい。ただし、部品に適用可能なグラフに制限がある場合には、投票画面生成部１３は、資材データが示す部品に適用可能なグラフマスタ（図２および図３の例では部品の発注方式が一致するグラフマスタ）を読み出す。投票画面生成部１３は、読み出した資材データおよびグラフマスタに基づいて、資材データをグラフで表示し、資材データが示す部品の対象項目の見直しに対する賛成票を投票可能な投票画面を生成する。ここで、投票画面について図４〜図６を用いて説明する。
【００２５】
図４は、実施の形態に係る安全在庫を対象項目とする投票画面の一例を示す図である。図４の例は、図２に示す「部品番号」がＹＤＢ＿０２３３０１の部品の資材データと、図３に示す「グラフ番号」が１のグラフマスタとに基づいて、投票画面生成部１３が生成した投票画面である。図４の投票画面には、グラフタイトル５１と、縦軸タイトル５２と、横軸タイトル５３と、在庫数量の折れ線グラフ５４と、対象項目５５と、部品名５６と、部品番号５７と、発注方式５８と、投票ボタン５９と、閉じるボタン６０とが表示されている。
【００２６】
グラフタイトル５１は「安全在庫と在庫推移」であり、縦軸タイトル５２および横軸タイトル５３はそれぞれ「在庫数量（個）」および「ｔ（日付）」である。グラフを表示した対象部品は、部品名５６が部品Ｃ０００１、部品番号５７がＹＤＢ＿０２３３０１、発注方式５８が定期発注の部品である。在庫数量の折れ線グラフ５４は、縦軸を在庫数量、横軸を日付とし、対象部品の４ヶ月分の在庫数量の推移を表した折れ線グラフである。対象項目５５は、対象項目である安全在庫をグラフ上に破線で示し、その数値を表示している。投票者は、このような投票画面に表示された在庫数量の折れ線グラフ５４と対象項目５５とを閲覧し、対象部品の安全在庫の見直しが必要であると考える場合には、投票ボタン５９を押下して賛成票を投票する。投票者が投票ボタン５９を押下することで投票データが投票者端末３から在庫管理支援装置１に送信される。投票者が閉じるボタン６０を押下することで投票画面が閉じられる。
【００２７】
図５は、実施の形態に係る発注点を対象項目とする投票画面の一例を示す図である。図５の例は、図２に示す「部品番号」がＹＤＢ＿０９０００１の部品の資材データと、図３に示す「グラフ番号」が２のグラフマスタとに基づいて、投票画面生成部１３が生成した投票画面である。図５の投票画面には、図４と同様にグラフタイトル５１と、縦軸タイトル５２と、横軸タイトル５３と、在庫数量の折れ線グラフ５４と、対象項目５５と、部品名５６と、部品番号５７と、発注方式５８と、投票ボタン５９と、閉じるボタン６０とが表示されている。
【００２８】
グラフタイトル５１は「発注点と在庫推移」であり、縦軸タイトル５２および横軸タイトル５３はそれぞれ「在庫数量（個）」および「ｔ（日付）」である。グラフを表示した対象部品は、部品名５６が部品ＹＤＢ０９０、部品番号５７がＹＤＢ＿０９０００１、発注方式５８が定量発注の部品である。在庫数量の折れ線グラフ５４は、縦軸を在庫数量、横軸を日付とし、対象部品の４ヶ月分の在庫数量の推移を表した折れ線グラフである。対象項目５５は、対象項目である発注点をグラフ上に破線で示し、その数値を表示している。投票者は、このような投票画面に表示された在庫数量の折れ線グラフ５４と対象項目５５とを閲覧し、対象部品の発注点の見直しが必要であると考える場合には、投票ボタン５９を押下して賛成票を投票する。投票者が投票ボタン５９を押下することで投票データが投票者端末３から在庫管理支援装置１に送信される。投票者が閉じるボタン６０を押下することで投票画面が閉じられる。
【００２９】
図６は、実施の形態に係る発注量を対象項目とする投票画面の一例を示す図である。図６の例は、図２に示す「部品番号」がＹＤＢ＿０２３３０１の部品の資材データと、図３に示す「グラフ番号」が３のグラフマスタとに基づいて、投票画面生成部１３が生成した投票画面である。投票画面生成部１３は、資材データの「在庫数量」から発注量を算出する。なお、資材データに部品の発注量を示す情報が含まれる場合には、投票画面生成部１３は、資材データに含まれる部品の発注量を示す情報を用いればよい。図６の投票画面には、図４および図５と同様にグラフタイトル５１と、縦軸タイトル５２と、横軸タイトル５３と、在庫数量の折れ線グラフ５４と、対象項目５５と、部品名５６と、部品番号５７と、発注方式５８と、投票ボタン５９と、閉じるボタン６０とが表示されている。
【００３０】
グラフタイトル５１は「発注量と在庫推移」であり、縦軸タイトル５２および横軸タイトル５３と、在庫数量の折れ線グラフ５４と、部品名５６と、部品番号５７と、発注方式５８とは、図４の場合と同様であるので説明を省略する。対象項目５５は、対象項目である発注量をグラフ上に破線で示し、その数値を表示している。投票者は、このような投票画面に表示された在庫数量の折れ線グラフ５４と対象項目５５とを閲覧し、対象部品の発注量の見直しが必要であると考える場合には、投票ボタン５９を押下して賛成票を投票する。投票者が投票ボタン５９を押下することで投票データが投票者端末３から在庫管理支援装置１に送信される。投票者が閉じるボタン６０を押下することで投票画面が閉じられる。
【００３１】
投票画面は、図４〜図６の例に限らず、資材データと共に対象項目を表示し、資材データが示す部品の対象項目の見直しに対する賛成票を投票可能な画面であればよい。また、投票画面に文字入力が可能な備考欄を設けて、見直しの提案を入力できるようにしてもよい。この場合、投票者が投票ボタン５９を押下することで投票データと共に備考欄に入力された提案を示す提案データが投票者端末３から在庫管理支援装置１に送信される。在庫管理支援装置１の投票データ取得部１４は、投票データと共に受信した提案データを投票データと対応付けて記憶部１２に記憶する。図１の在庫管理支援装置１の投票データ取得部１４は、投票者端末３から投票データを取得し、記憶部１２に記憶する。
【００３２】
管理者端末４に承認画面を表示させるタイミングは、あらかじめ在庫管理支援装置１に設定されていてもよいし、管理者が任意のタイミングで要求してもよい。後者の場合、管理者は、図１の管理者端末４に承認画面の要求を入力する。管理者端末４は、承認画面の要求が入力されると、承認画面要求信号を在庫管理支援装置１に送信する。なお、管理者端末４が投票画面要求信号を在庫管理支援装置１に送信するタイミングは、承認画面の要求が入力されたときに限らず、管理者が管理者端末４で特定の業務用ソフトウェアを起動したときや、管理者が管理者端末４にログインしたとき、管理者が管理者端末４でインターネットを閲覧するＷＥＢブラウザを起動したときなどでもよい。
【００３３】
在庫管理支援装置１の投票集計部１５は、管理者端末４から承認画面を要求する承認画面要求信号を受信すると、記憶部１２が記憶する投票データを集計し、投票結果データを生成する。投票結果データには、集計された賛成票の投票者を識別する情報が含まれる。投票集計部１５は、生成した投票結果データを記憶部１２に記憶する。承認画面生成部１６は、記憶部１２に投票結果データが記憶されると、投票結果データを表示し、表示された投票結果データに対する承認を入力可能な承認画面を生成する。ここで、投票結果データと承認画面とについて図７および図８を用いて説明する。
【００３４】
図７は、実施の形態に係る投票結果データの一例を示す図である。図７の例では、投票結果データは、集計した投票データの数の多い順位を示す「順位」と、投票された部品を識別する「部品番号」と、投票された部品の名称を示す「部品名」と、投票の対象となった項目を示す「対象項目」と、集計した投票データの数を示す「投票数」と、集計された賛成票の投票者を識別する情報を示す「投票者ＩＤ」とで構成される。図７では、投票結果データを投票数の多い順に並べているが、投票結果データはランダムに並べてもよいし、集計した順に並べてもよい。
【００３５】
図８は、実施の形態に係る承認画面の一例を示す図である。図８の例は、図７に示す投票結果データを表示する承認画面である。図８の承認画面には、投票結果データ６１と、承認ボタン６２と、閉じるボタン６３と、リセットボタン６４とが表示されている。承認画面に表示される投票結果データ６１には、図７に示す投票結果データの「投票者ＩＤ」は表示しない。これによって、投票の匿名性が保たれる。図８に示すように、投票結果データ６１の数が多く、承認画面内に投票結果データ６１をすべて表示すると視認性が低下する場合には、スクロールできるようにすることが好ましい。また、記憶部１２に提案データが記憶されている場合には、投票結果データ６１と共に集計された投票データに対応する提案データを表示してもよい。提案データの表示方法は、例えば、投票結果データの表示に提案データを表示する画面へのリンクを貼ったり、提案データを表示する画面を表示させるボタンを設けたりするとよい。
【００３６】
管理者は、このような承認画面に表示された投票結果データ６１を閲覧し、承認する投票結果データ６１と同じ行に設けられた承認ボタン６２を押下する。管理者が承認ボタン６２を押下することで承認データが管理者端末４から在庫管理支援装置１に送信される。管理者が閉じるボタン６３を押下することで承認画面が閉じられる。例えば、管理者が、投票数が１位の投票結果データ６１と同じ行に設けられた承認ボタン６２を押下した場合、「部品番号」がＹＤＢ＿０２３３０１で「部品名」が部品Ｃ０００１の部品の「対象項目」が安全在庫の投票結果データに対する承認が入力されたことを示す承認データが在庫管理支援装置１に送信される。図８のように、投票結果データが投票数の多い順に並べられていることによって、管理者は在庫管理の見直しの必要性が高い部品を把握しやすい。
【００３７】
また、管理者がリセットボタン６４を押下することで投票結果データの削除を要求するリセット要求信号が管理者端末４から在庫管理支援装置１に送信される。在庫管理支援装置１の承認データ取得部１７は、管理者端末４からリセット要求信号を受信すると、記憶部１２が記憶する当該投票結果データを削除する。承認画面は、図８の例に限らず、投票結果データを表示し、表示された投票結果データに対する承認を入力可能な画面であればよい。
【００３８】
図１の在庫管理支援装置１の承認データ取得部１７は、管理者端末４から承認データを取得し、記憶部１２に記憶する。承認通知部１８は、記憶部１２に承認データが記憶されると、投票結果データが承認されたことを通知する承認通知情報を生成し、承認データが示す承認された投票結果データに含まれる集計された賛成票の投票者を識別する情報に基づいて、当該投票者が使用する投票者端末３に承認通知情報を送信する。投票者端末３は、受信した承認通知情報を表示して、投票者に投票結果データが承認されたことを通知する。投票者端末３は、承認通知情報を音声出力して投票者に投票結果データが承認されたことを通知してもよい。続いて、在庫管理支援装置１、投票者端末３および管理者端末４が行う処理について図９および図１０を用いて説明する。
【００３９】
図９は、実施の形態に係る投票画面表示処理の動作の一例を示すフローチャートである。投票画面表示処理は、投票者端末３に投票者が投票画面の要求を入力すると、開始する。投票者端末３は、投票画面要求信号を在庫管理支援装置１に送信する（ステップＳ１１）。在庫管理支援装置１の投票画面生成部１３は、投票者端末３から投票画面を要求する投票画面要求信号を受信すると（ステップＳ２１）、記憶部１２から資材データを読み出し（ステップＳ２２）、グラフマスタを読み出す（ステップＳ２３）。投票画面生成部１３は、読み出した資材データとグラフマスタとに基づいて、資材データをグラフで表示し、資材データが示す部品の対象項目の見直しに対する賛成票を投票可能な投票画面を生成する（ステップＳ２４）。
【００４０】
例えば、投票画面生成部１３は、図２に示す「部品番号」がＹＤＢ＿０２３３０１の部品の資材データと、図３に示す「グラフ番号」が１のグラフマスタと、を読み出すと、図４に示すような投票画面を生成する。投票画面生成部１３は、図２に示す「部品番号」がＹＤＢ＿０９０００１の部品の資材データと、図３に示す「グラフ番号」が２のグラフマスタと、を読み出すと、図５に示すような投票画面を生成する。投票画面生成部１３は、図２に示す「部品番号」がＹＤＢ＿０２３３０１の部品の資材データと、図３に示す「グラフ番号」が３のグラフマスタと、を読み出すと、図６に示すような投票画面を生成する。投票画面生成部１３は、生成した投票画面を投票者端末３に送信する（ステップＳ２５）。
【００４１】
投票者端末３は、在庫管理支援装置１から投票画面を受信すると（ステップＳ１２）、受信した投票画面を表示する（ステップＳ１３）。投票画面の投票ボタンが押下されず（ステップＳ１４；ＮＯ）、閉じるボタンが押下されない場合（ステップＳ１５；ＮＯ）、ステップＳ１４およびステップＳ１５を繰り返し、投票ボタンまたは閉じるボタンの押下を待機する。投票画面の投票ボタンが押下されず（ステップＳ１４；ＮＯ）、閉じるボタンが押下された場合（ステップＳ１５；ＹＥＳ）、処理を終了する。
【００４２】
投票画面の投票ボタンが押下された場合（ステップＳ１４；ＹＥＳ）、投票者端末３は、投票データを在庫管理支援装置１に送信し（ステップＳ１６）、処理を終了する。例えば、投票者ＩＤがＵ００１である投票者が図４に示す投票画面の投票ボタン５９を押下とすると、投票者端末３は、「投票者ＩＤ」Ｕ００１の投票者が「部品番号」ＹＤＢ＿０２３３０１、「部品名」部品Ｃ０００１の部品の安全在庫の見直しに賛成票を投票したことを示す投票データを在庫管理支援装置１に送信する。在庫管理支援装置１の投票データ取得部１４は、投票者端末３から投票データを受信すると（ステップＳ２６）、受信し投票データを記憶部１２に記憶し（ステップＳ２７）、処理を終了する。
【００４３】
なお、投票画面表示処理が開始するトリガは、投票画面の要求が入力されたときに限らず、投票者が投票者端末３で特定の業務用ソフトウェアを起動したときや、投票者が投票者端末３にログインしたとき、投票者が投票者端末３でインターネットを閲覧するＷＥＢブラウザを起動したときなどでもよい。投票者端末３に投票画面を表示させるタイミングがあらかじめ在庫管理支援装置１に設定されている場合には、ステップＳ１１およびステップＳ２１はなくてよい。
【００４４】
図１０は、実施の形態に係る承認画面表示処理の動作の一例を示すフローチャートである。承認画面表示処理は、管理者端末４に管理者が承認画面の要求を入力すると、開始する。管理者端末４は、承認画面要求信号を在庫管理支援装置１に送信する（ステップＳ３１）。在庫管理支援装置１の投票集計部１５は、管理者端末４から承認画面を要求する承認画面要求信号を受信すると（ステップＳ４１）、記憶部１２が記憶する投票データを集計し（ステップＳ４２）、投票結果データを生成する。承認画面生成部１６は、投票集計部１５が生成した投票結果データを表示し、表示された投票結果データに対する承認を入力可能な承認画面を生成する（ステップＳ４３）。例えば、承認画面生成部１６は、投票集計部１５が図７に示す投票結果データを生成すると、図８に示すような承認画面を生成する。承認画面生成部１６は、生成した承認画面を管理者端末４に送信する（ステップＳ４４）。
【００４５】
管理者端末４は、在庫管理支援装置１から承認画面を受信すると（ステップＳ３２）、受信した承認画面を表示する（ステップＳ３３）。承認画面の承認ボタンが押下されず（ステップＳ３４；ＮＯ）、閉じるボタンが押下されない場合（ステップＳ３５；ＮＯ）、ステップＳ３４およびステップＳ３５を繰り返し、承認ボタンまたは閉じるボタンの押下を待機する。承認画面の承認ボタンが押下されず（ステップＳ３４；ＮＯ）、閉じるボタンが押下された場合（ステップＳ３５；ＹＥＳ）、処理を終了する。図８の例のように承認画面がリセットボタンを備える場合には、承認画面の承認ボタンおよび閉じるボタンが押下されない場合に（ステップＳ３４；ＮＯ，ステップＳ３５；ＮＯ）、リセットボタンが押下されると、管理者端末４は、リセット要求信号を在庫管理支援装置１に送信し、処理を終了する。在庫管理支援装置１の承認データ取得部１７は、管理者端末４からリセット要求信号を受信すると、記憶部１２が記憶する当該投票結果データを削除し、処理を終了する。
【００４６】
承認画面の承認ボタンが押下された場合（ステップＳ３４；ＹＥＳ）、管理者端末４は、承認データを在庫管理支援装置１に送信し（ステップＳ３６）、処理を終了する。例えば、管理者が、図８に示す承認画面の投票数が１位の投票結果データ６１と同じ行に設けられた承認ボタン６２を押下した場合、管理者端末４は、「部品番号」がＹＤＢ＿０２３３０１で「部品名」が部品Ｃ０００１の部品の「対象項目」が安全在庫の投票結果データに対する承認が入力されたことを示す承認データを在庫管理支援装置１に送信する。在庫管理支援装置１の承認データ取得部１７は、管理者端末４から承認データを受信すると（ステップＳ４５）、受信した承認データを記憶部１２に記憶する（ステップＳ４６）。
【００４７】
承認通知部１８は、記憶部１２に承認データが記憶されると、承認データに含まれる投票者を識別する情報に基づいて、投票結果データが承認されたことを通知する承認通知情報を生成して投票者端末３に送信し（ステップＳ４７）、処理を終了する。承認通知部１８は、例えば、投票者ＩＤと投票者のメールアドレスとの対応表を記憶しており、投票結果データが承認されたことを通知するメールを当該メールアドレスに送信する。投票者端末３は、承認通知情報を受信すると（ステップＳ５１）、受信した承認通知情報を表示して（ステップＳ５２）、処理を終了する。承認通知部１８は、ステップＳ４７で承認データが示す承認された投票結果データの部品の在庫管理担当者にも承認通知情報を送信する構成にしてもよい。この場合、承認通知部１８は、例えば、部品番号と在庫管理担当者のメールアドレスとの対応表を記憶しており、投票結果データが承認されたことを通知するメールを当該メールアドレスに送信する。また、管理者は在庫管理担当者であってもよい。
【００４８】
なお、承認画面表示処理が開始するトリガは、承認画面の要求が入力されたときに限らず、管理者が管理者端末４で特定の業務用ソフトウェアを起動したときや、管理者が管理者端末４にログインしたとき、管理者が管理者端末４でインターネットを閲覧するＷＥＢブラウザを起動したときなどでもよい。管理者端末４に承認画面を表示させるタイミングがあらかじめ在庫管理支援装置１に設定されている場合には、ステップＳ３１およびステップＳ４１はなくてよい。
【００４９】
以上説明したように、本実施の形態の在庫管理支援装置１によれば、在庫管理現場以外の人員も在庫管理を評価できるようにすることで、在庫管理現場において継続的に在庫管理の改善を行うことが可能になる。
【００５０】
上記の実施の形態では、在庫管理支援装置１、投票者端末３および管理者端末４を別々の装置として説明したが、在庫管理支援装置１は、投票者端末３および管理者端末４の機能を備えてもよい。この場合、在庫管理支援装置１の投票画面生成部１３は、生成した投票画面を表示する。投票データ取得部１４は、投票者からの投票画面への入力を受け付ける。承認画面生成部１６は、生成した承認画面を表示する。承認データ取得部１７は、管理者からの承認画面への入力を受け付ける。また、在庫管理支援装置１は、資材データベース２を内蔵してもよい。
【００５１】
上記の実施の形態では、在庫管理支援装置１の承認通知部１８は、記憶部１２に承認データが記憶されると、投票結果データが承認されたことを通知する承認通知情報を生成し、承認データが示す承認された投票結果データに含まれる集計された賛成票の投票者を識別する情報に基づいて、当該投票者が使用する投票者端末３に送信するが、これに限らず、在庫管理支援装置１は承認通知部１８を備えなくてもよい。この場合、投票データに投票者を識別する情報を含まなくてもよい。このような構成では、投票者は、記憶部１２に記憶された承認データを参照することで、自身が投票した投票結果データが承認されたか否かを確認することができる。
【００５２】
上記の実施の形態では、在庫管理支援装置１は、投票画面を投票者端末３に表示させ、承認画面を管理者端末４に表示させるが、これに限らず、在庫管理支援装置１は、投票画面を投票者端末３に表示させるのみでもよい。この場合、在庫管理支援装置１は、承認画面生成部１６、承認データ取得部１７、および、承認通知部１８を備えなくてもよく、在庫管理支援システム１００は、管理者端末４を備えなくてもよい。このような構成では、管理者は、記憶部１２に記憶された投票結果データを参照することで、部品の対象項目の見直しの要否を検討することができる。
【００５３】
上記の実施の形態では、投票画面に資材データと共に対象項目を表示したが、これに限らず、投票画面に対象項目を表示しなくてもよい。この場合、投票者は、投票画面に表示された資材データを閲覧し、資材データが示す部品の在庫管理の見直しが必要であると考える場合には、投票ボタン５９を押下して賛成票を投票する。このような構成では、資材データは、部品を識別する情報と、部品の日毎の在庫数量を示す情報と、を含んでいればよい。また、対象項目に安全在庫を含まない場合、資材データは、定期発注の部品の安全在庫を示す情報を含まなくてもよい。対象項目に発注点を含まない場合、資材データは、定量発注の部品の発注点を示す情報を含まなくてもよい。
【００５４】
上記の実施の形態では、投票画面で資材データをグラフで表示したが、これに限らず、投票画面で資材データをそのまま表示してもよい。この場合、記憶部１２はグラフマスタを記憶しておかなくてよい。
【００５５】
上記の実施の形態では、部品の日毎の在庫数量を示す情報を含むが、これに限らず、部品の在庫数量を示す情報は、２日毎や３日毎、１週間毎など、部品の単位期間毎の在庫数量を示す情報であればよい。
【００５６】
上記の実施の形態では、在庫管理現場以外の人員を投票者とし、在庫管理現場の人員を管理者としたが、在庫管理現場の人員も投票を行ってもよい。
【００５７】
図１１は、実施の形態に係る在庫管理支援装置のハードウェア構成の一例を示すブロック図である。在庫管理支援装置１は、図１１に示すように、制御部８１、主記憶部８２、外部記憶部８３、操作部８４、表示部８５および送受信部８６を備える。主記憶部８２、外部記憶部８３、操作部８４、表示部８５および送受信部８６はいずれも内部バス８０を介して制御部８１に接続されている。
【００５８】
制御部８１はＣＰＵ（Central Processing Unit）などから構成され、外部記憶部８３に記憶されている制御プログラム８９に従って、在庫管理支援装置１の投票画面生成部１３、投票集計部１５、承認画面生成部１６および承認通知部１８の各処理を実行する。
【００５９】
主記憶部８２はＲＡＭ（Random-Access Memory）などから構成され、外部記憶部８３に記憶されている制御プログラム８９をロードし、制御部８１の作業領域として用いられる。
【００６０】
外部記憶部８３は、フラッシュメモリ、ハードディスク、ＤＶＤ−ＲＡＭ、ＤＶＤ−ＲＷなどの不揮発性メモリから構成され、在庫管理支援装置１の処理を制御部８１に行わせるためのプログラムをあらかじめ記憶し、また、制御部８１の指示に従って、このプログラムが記憶するデータを制御部８１に供給し、制御部８１から供給されたデータを記憶する。記憶部１２は外部記憶部８３に構成される。
【００６１】
操作部８４はキーボードおよびマウスやタッチパネルなどのポインティングデバイスと、これらを内部バス８０に接続するインタフェース装置から構成されている。操作部８４を介して、入力された情報が制御部８１に供給される。在庫管理支援装置１が投票者端末３および管理者端末４の機能を備える構成の場合、操作部８４は投票データ取得部１４および承認データ取得部１７として機能する。
【００６２】
表示部８５は、ＣＲＴまたはＬＣＤなどから構成されている。在庫管理支援装置１が投票者端末３および管理者端末４の機能を備える構成の場合、表示部８５は投票画面生成部１３および承認画面生成部１６として機能する。
【００６３】
送受信部８６は、ネットワークに接続する網終端装置または無線通信装置、およびそれらと接続するシリアルインタフェースまたはＬＡＮ（Local Area Network）インタフェースから構成されている。在庫管理支援装置１が投票者端末３および管理者端末４と接続する構成の場合、送受信部８６は、投票データ取得部１４および承認データ取得部１７として機能する。
【００６４】
図１に示す在庫管理支援装置１の資材データ取得部１１、記憶部１２、投票画面生成部１３、投票データ取得部１４、投票集計部１５、承認画面生成部１６、承認データ取得部１７、および、承認通知部１８の処理は、制御プログラム８９が、制御部８１、主記憶部８２、外部記憶部８３、操作部８４、表示部８５および送受信部８６などを資源として用いて処理することによって実行する。
【００６５】
その他、前記のハードウェア構成やフローチャートは一例であり、任意に変更および修正が可能である。
【００６６】
制御部８１、主記憶部８２、外部記憶部８３、操作部８４、表示部８５、送受信部８６、内部バス８０などから構成される在庫管理支援装置１の処理を行う中心となる部分は、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭなど）に格納して配布し、当該コンピュータプログラムをコンピュータにインストールすることにより、前記の処理を実行する在庫管理支援装置１を構成してもよい。また、インターネットなどの通信ネットワーク上のサーバ装置が有する記憶装置に当該コンピュータプログラムを格納しておき、通常のコンピュータシステムがダウンロードなどすることで在庫管理支援装置１を構成してもよい。
【００６７】
また、在庫管理支援装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００６８】
また、搬送波にコンピュータプログラムを重畳し、通信ネットワークを介して提供することも可能である。例えば、通信ネットワーク上の掲示板（BBS, Bulletin Board System）に前記コンピュータプログラムを掲示し、ネットワークを介して前記コンピュータプログラムを提供してもよい。そして、このコンピュータプログラムを起動し、ＯＳの制御下で、他のアプリケーションプログラムと同様に実行することにより、前記の処理を実行できるように構成してもよい。
【符号の説明】
【００６９】
１  在庫管理支援装置、２  資材データベース、３  投票者端末、４  管理者端末、１１  資材データ取得部、１２  記憶部、１３  投票画面生成部、１４  投票データ取得部、１５  投票集計部、１６  承認画面生成部、１７  承認データ取得部、１８  承認通知部、５１  グラフタイトル、５２  縦軸タイトル、５３  横軸タイトル、５４  在庫数量の折れ線グラフ、５５  対象項目、５６  部品名、５７  部品番号、５８  発注方式、５９  投票ボタン、６０  閉じるボタン、６１  投票結果データ、６２  承認ボタン、６３  閉じるボタン、６４  リセットボタン、８０  内部バス、８１  制御部、８２  主記憶部、８３  外部記憶部、８４  操作部、８５  表示部、８６  送受信部、８９  制御プログラム、１００  在庫管理支援システム。
【図１】
0006570454.tif 000002
【図２】
0006570454.tif 000003
【図３】
0006570454.tif 000004
【図４】
0006570454.tif 000005
【図５】
0006570454.tif 000006
【図６】
0006570454.tif 000007
【図７】
0006570454.tif 000008
【図８】
0006570454.tif 000009
【図９】
0006570454.tif 000010
【図１０】
0006570454.tif 000011
【図１１】
0006570454.tif 000012